(57)【要約】【課題】  本発明は、単一の信号のみで伝送遅延時間を測定でき、伝送路で生じる遅延とＯＦＤＭ変復調器での遅延を含めた遅延時間を測定することができる遅延時間測定方法及び遅延時間測定システム及び時間情報設定装置及び遅延時間測定装置を提供することを目的とする。【解決手段】  放送ＴＳ信号の多重フレーム内の付加情報伝送パケットに外部の基準時間情報を設定し、放送ＴＳ信号を伝送し、放送用にＯＦＤＭ変調された該放送ＴＳ信号をＯＦＤＭ復調して多重分離を行い付加情報伝送用パケットの時間情報を取り出し、取り出された前記設定された時間情報と外部の基準時間情報との時間差を求めて遅延時間を測定する。【選択図】      図１
2004320713.tif 000002
【特許請求の範囲】
【請求項１】
放送ＴＳ信号の多重フレーム内の付加情報伝送パケットに外部の基準時間情報を設定し、
該放送ＴＳ信号を伝送し、
放送用にＯＦＤＭ変調された該放送ＴＳ信号をＯＦＤＭ復調して多重分離を行い前記付加情報伝送用パケットの時間情報を取り出し、
取り出された前記設定された時間情報と外部の基準時間情報との時間差を求めて遅延時間を測定することを特徴する遅延時間測定方法。
【請求項２】
放送ＴＳ信号の多重フレーム内の付加情報伝送パケットに外部の基準時間情報を設定する時間情報設定装置と、
放送用にＯＦＤＭ変調された該放送ＴＳ信号をＯＦＤＭ復調して多重分離を行い前記付加情報伝送パケットの時間情報を取り出し、取り出された前記設定された時間情報と外部の基準時間情報との時間差を求める遅延時間測定装置と、
を備えたことを特徴する遅延時間測定システム。
【請求項３】
放送ＴＳ信号の多重フレーム内のＩＩＰパケットのＮＳＩに外部の基準時間情報を書き込み、該ＩＩＰパケットの内容をＡＣパケットにコピーする、
ことを特徴する時間情報設定装置。
【請求項４】
放送用にＯＦＤＭ変調された放送ＴＳ信号をＯＦＤＭ復調して多重分離を行い多重フレーム内のＡＣパケットから設定されている時間情報を取り出し、取り出された該時間情報と外部の基準時間情報との時間差を求めて遅延時間を測定する、
ことを特徴する遅延時間測定装置。
【請求項５】
放送ＴＳ信号の多重フレームを構成するＴＳパケット内のダミーバイト部分に割り当てられている領域に外部の基準時間情報を設定し、
該放送ＴＳ信号を伝送し、
放送用にＯＦＤＭ変調された該放送ＴＳ信号をＯＦＤＭ復調して多重分離を行い前記ＴＳパケット内のダミーバイト部分に書き込まれた時間情報を取り出し、
取り出された前記設定された時間情報と外部の基準時間情報との時間差を求めて遅延時間を測定することを特徴する遅延時間測定方法。
【請求項６】
放送ＴＳ信号の多重フレームを構成するＴＳパケット内のダミーバイト部分に割り当てられている領域に外部の基準時間情報を設定する時間情報設定装置と、
放送用にＯＦＤＭ変調された該放送ＴＳ信号をＯＦＤＭ復調して多重分離を行い前記ＴＳパケット内のダミーバイト部分に書き込まれた時間情報を取り出し、取り出された前記設定された時間情報と外部の基準時間情報との時間差を求める遅延時間測定装置と、
を備えたことを特徴する遅延時間測定システム。
【請求項７】
放送ＴＳ信号の多重フレーム内のＩＩＰパケットのＮＳＩに外部の基準時間情報を書き込み、該ＩＩＰパケットの内容をＴＳパケット内のダミーバイト部分に割り当てられているＡＣデータ領域に書き込む、
ことを特徴する時間情報設定装置。
【請求項８】
放送用にＯＦＤＭ変調された放送ＴＳ信号をＯＦＤＭ復調して多重分離を行いＴＳパケット内のダミーバイト部分に書き込まれた時間情報を取り出し、取り出された該時間情報と外部の基準時間情報との時間差を求めて遅延時間を測定する、
ことを特徴する遅延時間測定装置。
【請求項９】
請求項４または８記載の遅延時間測定装置において、
該遅延時間測定装置はさらに遅延調整器を備え、前記求められた遅延時間を設定情報として該遅延調整器に入力する、
ことを特徴する遅延時間測定装置。
【請求項１０】
放送ＴＳ信号の多重フレーム内にある外部からの基準時間情報が埋め込まれているＩＩＰパケットから遅延制御基本情報を抽出し、
抽出した遅延制御基本情報を含む遅延制御情報をＡＣパケットに書き込む、
ことを特徴する時間情報設定装置。
【請求項１１】
放送ＴＳ信号の多重フレーム内にある外部からの基準時間情報が埋め込まれているＩＩＰパケットから遅延制御基本情報を抽出し、
抽出した遅延制御基本情報を含む遅延制御情報をＴＳパケット内のダミーバイト部分に割り当てられているＡＣデータ領域に書き込む、
ことを特徴する時間情報設定装置。
【請求項１２】
放送用にＯＦＤＭ変調された放送ＴＳ信号をＯＦＤＭ復調して多重分離を行い多重フレーム内のＡＣパケットから設定されている時間情報と遅延制御情報を取り出し、取り出された該時間情報と外部の基準時間情報との時間差を求めて遅延時間を測定し、前記遅延時間と取り出された該遅延制御情報から遅延調整時間を求め、前記遅延調整器で前記ＯＦＤＭ変調された放送ＴＳ信号の遅延調整を行う、
ことを特徴する遅延時間測定装置。
【請求項１３】
放送用にＯＦＤＭ変調された放送ＴＳ信号をＯＦＤＭ復調して多重分離を行いＴＳパケット内のダミーバイト部分に書き込まれている時間情報と遅延制御情報を取り出し、取り出された該時間情報と外部の基準時間情報との時間差を求めて遅延時間を測定し、前記遅延時間と取り出された該遅延制御情報から遅延調整時間を求め、前記遅延調整器で前記ＯＦＤＭ変調された放送ＴＳ信号の遅延調整を行う、
ことを特徴する遅延時間測定装置。
【発明の詳細な説明】
【技術分野】
【０００１】
本発明は遅延時間測定方法及び遅延時間測定システム及び時間情報設定装置及び遅延時間測定装置に関し、ＯＦＤＭ変調信号を単一周波数網の複数箇所の放送機に伝送する遅延時間測定方法及び遅延時間測定システム及び時間情報設定装置及び遅延時間測定装置に関する。
【背景技術】
【０００２】
現在、地上デジタルテレビジョン放送の伝送方法として、ＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ−Ｔｅｒｒｅｓｔｒｉａｌ）と呼ばれるＯＦＤＭ（Ｏｒｔｈｏｇｏｎａｌ  Ｆｒｅｑｕｅｎｃｙ  Ｄｉｖｉｓｉｏｎ  Ｍｕ１ｔｉｐ１ｅｘｉｎｇ：直交周波数分割多重）伝送方式が規格化され、実用化に向けた準備が進められている（例えば、非特許文献１参照。）。
【０００３】
地上デジタルテレビジョン放送では、複数チャンネルのテレビジョン放送信号それぞれを周波数効率の良いＯＦＤＭでデジタル変調して放送される。ＯＦＤＭはマルチパスの干渉にも強く、伝送信号中にガードインターバルという時間的なガードを設けることにより、遅延時間の長いマルチパスの妨害による信号劣化を抑えることができることから、同じ放送内容を同一の周波数で放送する単一周波数網（ＳＦＮ：Ｓｉｎｇｌｅ  Ｆｒｅｑｕｅｎｃｙ  Ｎｅｔｗｏｒｋ）が可能となり、これにより周波数を大きく節約することができる。
【０００４】
単一周波数網を構築するためには、各放送所での変調器が遅延時間差なしに同一タイミングで同一なＯＦＤＭ信号を発射する必要がある。ＯＦＤＭ信号は演奏所から各放送所まで無線や有線などの伝送経路で伝送されるために伝送経路による遅延時間差が生じ、また、各放送所で変調器などの構成機器を経由することから各構成機器による遅延時間差も生じる。このため、各放送所でのタイミング合わせを行うためには、これらの遅延時間を測定する必要がある。
【０００５】
図１１は、従来の遅延時間測定方法の一例のブロック図を示す。同図中、特定信号と、この特定信号が遅延した遅延信号を遅延プロファイル測定装置１０に供給する。遅延プロファイル測定装置１０は特定信号とその遅延信号との相関をとることにより、特定信号に対する遅延信号の遅延時間を算出して出力する。
【０００６】
つまり、ＳＦＮサービスエリアにて複数の放送所から送信されたＯＦＤＭ変調信号を受信して遅延プロファイル測定装置１０に供給することにより、１つの放送所からの受信ＯＦＤＭ変調信号に対する他の放送所からの受信ＯＦＤＭ変調信号の遅延時間を測定する。
【０００７】
図１２（Ａ），（Ｂ）は従来の遅延時間測定方法の他の一例における送信設備と受信設備の構成図を示し、図１３は、従来の遅延時間測定方法の他の一例のフローチャートを示す。
【０００８】
図１２（Ａ）において、再多重化器２０にはＭＰＥＧ−２に準拠したＴＳ（Ｔｒａｎｓｐｏｒｔ  Ｓｔｒｅａｍ）を多重した通常ＴＳ信号が供給される。再多重化器２０はこの通常ＴＳ信号に地上デジタルテレビジョン放送信号の多重フレーム構造を与えると共に、変調情報、モード情報、ネットワーク情報等の制御情報を付加し、放送ＴＳ信号として遅延時間測定装置（送信部）２１に供給する。
【０００９】
遅延時間測定装置（送信部）２１ではＧＰＳ（Ｇｌｏｂａｌ  Ｐｏｓｉｔｉｏｎｉｎｇ  Ｓｙｓｔｅｍ）等から得た基準時間信号及び基準周波数信号を基にＳＴＳ情報（時間情報）を作成してＴＳＰ（Ｔｒａｎｓｐｏｒｔ  Ｓｔｒｅａｍ  Ｐａｃｋｅｔ）内のＩＩＰ（ＩＳＤＢ−Ｔ  Ｉｎｆｏｒｍａｔｉｏｎ  Ｐａｃｋｅｔ）パケットに書き込み、６４ＱＡＭ変調器２２に供給する。６４ＱＡＭ変調器２２は放送ＴＳ信号を６４ＱＡＭ変調して伝送路に送出する。この処理が図１２におけるステップＳ１０に相当する。
【００１０】
図１２（Ｂ）において、伝送路から受信された６４ＱＡＭ変調信号は６４ＱＡＭ復調器２５に供給され、６４ＱＡＭ復調されて放送ＴＳ信号とされる。復調された放送ＴＳ信号は遅延時間測定装置（受信部）２６及び遅延調整器２７を通してＯＦＤＭ変調器２８に供給される。
【００１１】
遅延時間測定装置（受信部）２６は、ＧＰＳ等から得た基準時間信号及び基準周波数信号を基に得られる時間情報と、ＩＩＰパケットのＳＴＳ（Ｓｙｎｃｈｒｏｎｉｚａｔｉｏｎ  Ｔｉｍｅ  Ｓｔａｍｐ）情報とを比較して、時間差すなわち遅延時間を求め、この遅延時間に応じて遅延調整器２７の遅延時間を調整する。上記の処理が図１３におけるステップＳ１２に相当する。
【００１２】
ＯＦＤＭ変調器２８は、放送ＴＳ信号に付加された制御情報に従ってテレビジョン放送信号のＯＦＤＭ変調を行う。ＯＦＤＭ変調器２８の出力するＯＦＤＭ変調信号は遅延調整器２９で遅延時間を調整された後、放送機３０から送信される。また、ＯＦＤＭ変調信号はＩＦ−ＴＴＬ（Ｉｎｔｅｒｍｅｄｉａｔｅ  Ｆｒｅｑｕｅｎｃｙ−Ｔｒａｎｓｍｉｔｔｅｒ  Ｔｒａｎｓｍｉｔｔｅｒ  Ｌｉｎｋ）送信部３１にて他の放送所に伝送するために伝送路に送出される。
【非特許文献１】地上デジタルテレビジョン放送の伝送方式  標準規格（ＡＲＩＢ  ＳＴＤ−Ｂ３１）：電波産業会
【発明の開示】
【発明が解決しようとする課題】
【００１３】
従来の図１１に示す特定信号とその遅延信号との相関をとる方法では、単一の信号の伝送遅延時間を測定することはできない。また、実際に、ＳＦＮサービスエリアにて複数の放送所から送信されたＯＦＤＭ変調信号を受信しなければならないため、測定に手間がかかるという問題があった。
【００１４】
また、図１２（Ａ），（Ｂ）に示すＩＩＰパケットのＳＴＳ情報を利用する遅延時間測定方法では、６４ＱＡＭ変調器２２と６４ＱＡＭ復調器２５間の伝送路における遅延時間を測定できるものの、ＯＦＤＭ変調時にＩＩＰパケットは破棄されＳＴＳ情報が失われるために、ＯＦＤＭ変調器２８以降に生じる遅延時間を測定することができないので遅延調整器２９の遅延時間設定を行うことができない。また、ＩＦ−ＴＴＬ伝送方式で他の放送所に伝送されるＯＦＤＭ変調信号の遅延時間を測定することができないという問題があった。
【００１５】
本発明は、上記の点に鑑みなされたもので、単一の信号のみで伝送遅延時間を測定でき、伝送路で生じる遅延とＯＦＤＭ変復調器での遅延を含めた遅延時間を測定することができる遅延時間測定方法及び遅延時間測定システム及び時間情報設定装置及び遅延時間測定装置を提供することを目的とする。
【課題を解決するための手段】
【００１６】
請求項１に記載の発明は、放送ＴＳ信号の多重フレーム内の付加情報伝送パケットに外部の基準時間情報を設定し、該放送ＴＳ信号を伝送し、放送用にＯＦＤＭ変調された該放送ＴＳ信号をＯＦＤＭ復調して多重分離を行い前記付加情報伝送用パケットの時間情報を取り出し、取り出された前記設定された時間情報と外部の基準時間情報との時間差を求めて遅延時間を測定することにより、
単一の信号のみで伝送遅延時間を測定でき、伝送路で生じる遅延とＯＦＤＭ変復調器での遅延を含めた遅延時間を測定することができる。
【００１７】
また、請求項２に記載の発明は、放送ＴＳ信号の多重フレーム内の付加情報伝送パケットに外部の基準時間情報を設定する時間情報設定装置と、放送用にＯＦＤＭ変調された該放送ＴＳ信号をＯＦＤＭ復調して多重分離を行い前記付加情報伝送パケットの時間情報を取り出し、取り出された前記設定された時間情報と外部の基準時間情報との時間差を求める遅延時間測定装置とを備えたことにより、
単一の信号のみで伝送遅延時間を測定でき、伝送路で生じる遅延とＯＦＤＭ変復調器での遅延を含めた遅延時間を測定することができる。
【００１８】
請求項５に記載の発明は、放送ＴＳ信号の多重フレームを構成するＴＳパケット内のダミーバイト部分に割り当てられている領域に外部の基準時間情報を設定し、該放送ＴＳ信号を伝送し、放送用にＯＦＤＭ変調された該放送ＴＳ信号をＯＦＤＭ復調して多重分離を行い前記ＴＳパケット内のダミーバイト部分に書き込まれた時間情報を取り出し、取り出された前記設定された時間情報と外部の基準時間情報との時間差を求めて遅延時間を測定することにより、
単一の信号のみで伝送遅延時間を測定でき、伝送路で生じる遅延とＯＦＤＭ変復調器での遅延を含めた遅延時間を測定することができる。
【００１９】
また、請求項６に記載の発明は、放送ＴＳ信号の多重フレームを構成するＴＳパケット内のダミーバイト部分に割り当てられている領域に外部の基準時間情報を設定する時間情報設定装置と、放送用にＯＦＤＭ変調された該放送ＴＳ信号をＯＦＤＭ復調して多重分離を行い前記ＴＳパケット内のダミーバイト部分に書き込まれた時間情報を取り出し、取り出された前記設定された時間情報と外部の基準時間情報との時間差を求める遅延時間測定装置とを備えたことにより、
単一の信号のみで伝送遅延時間を測定でき、伝送路で生じる遅延とＯＦＤＭ変復調器での遅延を含めた遅延時間を測定することができる。
【００２０】
また、請求項９に記載の発明では、該遅延時間測定装置はさらに遅延調整器を備え、前記求められた遅延時間を設定情報として該遅延調整器に入力することにより、
ＯＦＤＭ変調信号の遅延調整を行うことができる。
【００２１】
また、請求項１０に記載の発明は、放送ＴＳ信号の多重フレーム内にある外部からの基準時間情報が埋め込まれているＩＩＰパケットから遅延制御基本情報を抽出し、抽出した遅延制御基本情報を含む遅延制御情報をＡＣパケットに書き込むことにより、ＡＣパケットを有効に活用できる。
【００２２】
また、請求項１１に記載の発明は、放送ＴＳ信号の多重フレーム内にある外部からの基準時間情報が埋め込まれているＩＩＰパケットから遅延制御基本情報を抽出し、抽出した遅延制御基本情報を含む遅延制御情報をＴＳパケット内のダミーバイト部分に割り当てられているＡＣデータ領域に書き込むことにより、ダミーバイト部分を有効に活用できる。
【００２３】
また、請求項１２に記載の発明は、放送用にＯＦＤＭ変調された放送ＴＳ信号をＯＦＤＭ復調して多重分離を行い多重フレーム内のＡＣパケットから設定されている時間情報と遅延制御情報を取り出し、取り出された該時間情報と外部の基準時間情報との時間差を求めて遅延時間を測定し、前記遅延時間と取り出された該遅延制御情報から遅延調整時間を求め、前記遅延調整器で前記ＯＦＤＭ変調された放送ＴＳ信号の遅延調整を行うことにより、
ＯＦＤＭ変調された放送ＴＳ信号の遅延調整を行うことができる。
【００２４】
請求項１３に記載の発明は、放送用にＯＦＤＭ変調された放送ＴＳ信号をＯＦＤＭ復調して多重分離を行いＴＳパケット内のダミーバイト部分に書き込まれている時間情報と遅延制御情報を取り出し、取り出された該時間情報と外部の基準時間情報との時間差を求めて遅延時間を測定し、前記遅延時間と取り出された該遅延制御情報から遅延調整時間を求め、前記遅延調整器で前記ＯＦＤＭ変調された放送ＴＳ信号の遅延調整を行うことにより、
ＯＦＤＭ変調された放送ＴＳ信号の遅延調整を行うことができる。
【発明の効果】
【００２５】
請求項１，５に記載の発明によれば、単一の信号のみで伝送遅延時間を測定でき、伝送路で生じる遅延とＯＦＤＭ変復調器での遅延を含めた遅延時間を測定することができる。
【００２６】
また、請求項２，６に記載の発明によれば、単一の信号のみで伝送遅延時間を測定でき、伝送路で生じる遅延とＯＦＤＭ変復調器での遅延を含めた遅延時間を測定することができる。
【００２７】
また、請求項９に記載の発明によれば、ＯＦＤＭ変調信号の遅延調整を行うことができる。
【００２８】
また、請求項１０に記載の発明によれば、遅延時間測定に必要な遅延制御情報だけをＡＣパケットに書き込むことでＡＣパケットを有効に活用できる。
【００２９】
また、請求項１１に記載の発明によれば、遅延時間測定に必要な遅延制御情報だけをＴＳパケット内のダミーバイト部分に書き込むことでダミーバイト部分を有効に活用できる。
【００３０】
また、請求項１２，１３に記載の発明によれば、ＯＦＤＭ変調された放送ＴＳ信号の遅延調整を行うことができる。
【発明を実施するための最良の形態】
【００３１】
図１（Ａ），（Ｂ），（Ｃ）は、本発明の遅延時間測定方法の一実施例における送信設備と受信及び中継設備と受信設備の構成図を示し、図２は、本発明の遅延時間測定方法の第１実施例のフローチャートを示す。
【００３２】
図１（Ａ）において、再多重化器４０にはＭＰＥＧ−２に準拠したＴＳを多重した通常ＴＳ信号が供給される。再多重化器４０はこの通常ＴＳ信号に地上デジタルテレビジョン放送信号の多重フレーム構造を与えると共に、変調情報、モード情報、ネットワーク情報等の制御情報を付加し、図３（Ｂ），（Ｄ）に示す放送ＴＳ信号として遅延時間測定装置（送信部）４１に供給する。
【００３３】
遅延時間測定装置（送信部）４１ではＧＰＳ等から図３（Ａ），（Ｃ）に示す基準時間信号（１ＰＰＳ）及び基準周波数信号（１０ＭＨｚ）を得ており、放送ＴＳ信号の多重フレームの開始タイミングから基準時間信号（１ＰＰＳ）の立ち上がりタイミングまでの時間差を基準周波数信号（１０ＭＨｚ）によりカウントし、このカウント値を多重フレーム内の図３（Ｅ）に示すＩＩＰパケットのＮＳＩ（Ｎｅｔｗｏｒｋ  Ｓｙｎｃｈｒｏｎｉｚａｔｉｏｎ  Ｉｎｆｏｒｍａｔｉｏｎ）にＳＴＳ情報として書き込み、かつ、上記ＩＩＰパケットの内容を付加情報伝送用パケットであるＡＣ（Ａｕｘｉｌｉａｒｙ  Ｃｈａｎｎｅｌ）パケットにコピーして多重フレームを構成し、６４ＱＡＭ変調器４２に供給する。もしくは、上記ＩＩＰパケットの内容をＴＳパケット内のダミーバイト部分に割り当てられているＡＣデータ領域に書き込み、６４ＱＡＭ変調器４２に供給する。
【００３４】
なお、図３（Ｃ），（Ｄ）は図３（Ａ），（Ｂ）それぞれの時間軸を拡大して示す。６４ＱＡＭ変調器４２は放送ＴＳ信号を６４ＱＡＭ変調して光や無線等で伝送路に送出する。ここまでの処理が図２におけるステップＳ２０，Ｓ２２に相当する。
【００３５】
図１（Ｂ）において、６４ＱＡＭ変調器４２により生成された６４ＱＡＭ変調信号は伝送路を経て６４ＱＡＭ復調器４５に供給され、６４ＱＡＭ復調されて放送ＴＳ信号となる。復調された放送ＴＳ信号はＯＦＤＭ変調器４７に供給される。ＯＦＤＭ変調器４７は、放送ＴＳ信号に付加された制御情報に従ってテレビジョン放送信号のＯＦＤＭ変調を行う。このＯＦＤＭ変調信号は例えば周波数３７．１５ＭＨｚでガードインターバルが設けられている。ＯＦＤＭ変調時にＩＩＰパケットは破棄されるがＡＣパケット及びＴＳパケット内のダミーバイト部分のＡＣデータ領域は破棄されずにＯＦＤＭ変調され、得られたＯＦＤＭ変調信号は遅延時間測定装置（受信部）４８及び遅延調整器４９及びＩＦ−ＴＴＬ送信部５１に供給される。
【００３６】
遅延時間測定装置（受信部）４８は、ＯＦＤＭ復調部４８ａと遅延時間測定部４８ｂとより構成されている。ＯＦＤＭ復調部４８ａは供給されるＯＦＤＭ変調信号を復調して多重分離後ＡＣパケットを取り出し、もしくは、ＴＳパケット内のダミーバイト部分のＡＣデータ領域を取り出し、遅延時間測定部４８ｂに供給する。遅延時間測定部４８ｂは、ＧＰＳ等から得た基準時間信号及び基準周波数信号を基に得られる時間情報とＡＣパケットのＳＴＳ情報とを比較して、もしくは、上記時間情報とＴＳパケット内のダミーバイト部分のＡＣデータ領域に書き込まれているＳＴＳ情報とを比較して、時間差すなわち遅延時間を求め、この遅延時間に応じて遅延調整器４９の遅延時間を調整する。上記の処理が図２におけるステップＳ２４，Ｓ２６，Ｓ２８に相当する。
【００３７】
ＯＦＤＭ変調器４７の出力するＯＦＤＭ変調信号は遅延調整器４９で遅延時間を調整された後、放送機５０から送信される。また、ＯＦＤＭ変調信号はＩＦ−ＴＴＬ送信部５１にてＩＦ−ＴＴＬ伝送方式に変換され、他の放送所に伝送するために伝送路に送出される。
【００３８】
図１（Ｃ）において、ＩＦ−ＴＴＬ送信部５１から出力され伝送路を伝送されたＩＦ−ＴＴＬ伝送方式の信号は受信されてＩＦ−ＴＴＬ受信部５５に供給される。ＩＦ−ＴＴＬ受信部５５から得られたＯＦＤＭ変調信号は遅延時間測定装置（受信部）５６及び遅延調整器５７に供給される。
【００３９】
遅延時間測定装置（受信部）５６は、ＯＦＤＭ復調部５６ａと遅延時間測定部５６ｂとより構成されている。ＯＦＤＭ復調部５６ａは供給されるＯＦＤＭ変調信号を復調してＡＣパケットを取り出し、もしくは、ＴＳパケット内のダミーバイト部分のＡＣデータ領域を取り出し、遅延時間測定部５６ｂに供給する。遅延時間測定部５６ｂは、ＧＰＳ等から得た基準時間信号及び基準周波数信号を基に得られる時間情報と、ＡＣパケットのＳＴＳ情報とを比較して、もしくは、上記時間情報とＴＳパケット内のダミーバイト部分のＡＣデータ領域に書き込まれているＳＴＳ情報とを比較して、時間差すなわち遅延時間を求め、この遅延時間に応じて遅延調整器５７の遅延時間を調整する。上記の処理が図２におけるステップＳ２４，Ｓ２６，Ｓ２８に相当する。ＩＦ−ＴＴＬ受信部５５の出力するＯＦＤＭ変調信号は遅延調整器５７で遅延時間を調整された後、放送機５８から送信される。
【００４０】
図４は、本発明方法を用いた単一周波数網の一実施例の構成図を示す。同図中、演奏所６０には図１（Ａ）に示す送信設備が設けられている。放送所６２，６４には図１（Ｂ）に示す受信及び中継設備が設けられ、放送所６６には図１（Ｃ）に示す受信設備が設けられている。なお、放送所６２では図１（Ｂ）内のＩＦ−ＴＴＬ送信部５１を設ける必要はない。
【００４１】
演奏所６０から送信される６４ＱＡＭ変調信号は伝送路６１を伝送されて放送所６２の６４ＱＡＭ復調器に供給される。また、６４ＱＡＭ変調信号は伝送路６３を伝送されて放送所６４の６４ＱＡＭ復調器に供給される。更に、放送所６４のＩＦ−ＴＴＬ送信部５１から出力されるＩＦ−ＴＴＬ信号は伝送路６５を伝送されて放送所６６のＩＦ−ＴＴＬ受信部５５に供給される。
【００４２】
この実施例では、演奏所６０から同一時刻に送出された信号を各放送所６２、６４、６６で受信し、放送所６２、６４では遅延時間測定部４８ｂにて遅延時間を測定し、放送所６６では遅延時間測定部５６ｂにて遅延時間を測定する。各放送所で測定された遅延時間の関係を評価し、遅延調整器４９、５７に入力する遅延時間を調整すれば、放送機２０または５８から同一タイミングでＯＦＤＭ変調信号を送信することができる。
【００４３】
図５は、本発明の遅延時間測定方法の第２実施例のフローチャートを示す。また、図６に本発明の遅延時間測定方法の第２実施例における遅延時間測定装置（送信部）４１のブロック図を示し、図７に本発明の遅延時間測定方法の第２実施例における遅延時間測定装置（受信部）４８，５６のブロック図を示す。
【００４４】
図６おいて、遅延時間測定装置（送信部）４１に内蔵されるＧＰＳ７０は基準時間信号（１ＰＰＳ）及び基準周波数信号（１０ＭＨｚ）を得てカウンタ７１に供給する。また、最多重器４０からの放送ＴＳ信号は端子７２を通してカウンタ７１及びＳＴＳ書き込み部７３及びＡＣキャリアマッピング部７６に供給される。
【００４５】
図５において、ステップＳ３０で、カウンタ７１は、放送ＴＳ信号の多重フレームの開始タイミングから基準時間信号（１ＰＰＳ）の立ち上がりタイミングまでの時間差を基準周波数信号（１０ＭＨｚ）によりカウントし、このカウント値をＳＴＳ書き込み部７３に供給する。ＳＴＳ書き込み部７３は、放送ＴＳ信号の多重フレーム内の図３（Ｅ）に示すＩＩＰパケットのＮＳＩ（Ｎｅｔｗｏｒｋ  Ｓｙｎｃｈｒｏｎｉｚａｔｉｏｎ  Ｉｎｆｏｒｍａｔｉｏｎ）にカウント値をＳＴＳ情報として書き込む。
【００４６】
次に、ステップＳ３２で、遅延制御基本情報抽出部７４はＳＴＳ書き込み部７３から供給される放送ＴＳ信号の多重フレーム内のＩＩＰパケットから、ＡＣデータを無効階層ＴＳＰの情報部分と各ＴＳＰのダミーバイト内の２バイトのＡＣ領域のいずれに多重するかを表わす１ビットのＡＣ多重方法識別情報（ＡＣ＿ｄａｔａ＿ｅｆｆｅｃｔｉｖｅ＿ｐｏｓｉｔｉｏｎ）、ＩＩＰパケットの枝番号を表わすＩＩＰブランチナンバー（ＩＩＰ＿ｂｒａｎｃｈ＿ｎｕｍｂｅｒ）及びＩＩＰパケットの最終枝番号を表わすラストＩＩＰブランチナンバー（ｌａｓｔ＿ＩＩＰ＿ｂｒａｎｃｈ＿ｎｕｍｂｅｒ）を抽出すると共に、ＩＩＰパケットのＮＳＩから、遅延時間測定をするかしないかの識別子（ｓｙｎｃｈｒｏｎｉｚａｔｉｏｎ＿ＩＤ）、ＳＴＳ情報、演奏所から放送機の送信アンテナまでの最大遅延量（ｍａｘｉｍｕｍ＿ｄｅｌａｙ）、イクイップメントループ全体の長さを表すＥＬＬ（ｅｑｕｉｐｍｅｎｔ＿ｌｏｏｐ＿ｌｅｎｇｔｈ）情報、各機器の遅延時間のオフセット等を個別に制御するためのＥＣＩ（ｅｑｕｉｐｍｅｎｔ＿Ｃｏｎｔｒｏｌ＿Ｉｎｆｏｒｍａｔｉｏｎ）情報それぞれを抽出して遅延制御情報書込み部７５に供給する。
【００４７】
なお、ＡＣ多重方法識別情報、ＩＩＰブランチナンバー、ラストＩＩＰブランチナンバー、識別子、ＳＴＳ情報、最大遅延量、ＥＬＬ情報、ＥＣＩを遅延制御基本情報と呼び、これに、誤り検出符号／ユーザビット等を含めた図８または図９に示す構成の情報を遅延制御情報と呼ぶ。
【００４８】
遅延制御情報書込み部７５はステップＳ３４もしくはＳ３６で、これらの抽出情報即ち遅延制御基本情報を、マッピング時に図８または図９に示すＡＣ（Ａｕｘｉｌｉａｒｙ  Ｃｈａｎｎｅｌ）キャリアフォーマットとなるように図１０（Ａ）に示す無効階層ＴＳＰの情報部分１８８バイトに、もしくは、図１０（Ｂ）に示す各ＴＳＰのダミーバイト内の２バイトのＡＣ領域に順次書き込んで多重する。図８，図９は時間領域で示しているのに対し、図１０は周波数領域で示している。
【００４９】
図８にモード３におけるＡＣキャリアフォーマットの第１実施例を示す。ここで、モードはＩＳＤＢ−Ｔ方式の異なる３つのＯＦＤＭキャリア間隔及びキャリア数を表わし、モード３ではキャリア間隔が約１ｋＨｚでキャリア数が４３２、モード２ではキャリア間隔が約２ｋＨｚでキャリア数が２１６、モード１ではキャリア間隔が約４ｋＨｚでキャリア数が１０８である。
【００５０】
本実施例では、各モードでＡＣキャリア配置が変化しないセグメント番号１１のＯＦＤＭセグメントのＡＣキャリアを利用し、パリティを持たないパケット構成１を使用する。図８に８列で示すＡＣキャリアＡＣ１−１〜ＡＣ１−８はモード３におけるキャリア番号１０，２８，１６１，１９１，２７７，３１６，３３５，４２５に対応する。モード２では、キャリア番号１０，２８，１６１，１９１が有効であり、モード１では、キャリア番号１０，２８が有効である。
【００５１】
ＡＣキャリアＡＣ１−１〜ＡＣ１−８それぞれの先頭１９ビットは差動復調基準ビット及びヘッダであり、残りの１８５ビットの領域にデータが格納される。
【００５２】
ＡＣキャリアＡＣ１−１のデータ領域には、電波監視用としてメディアを識別するための３２ビットのＩＤ識別情報、８ビットのＩＩＰブランチナンバー、８ビットのラストＩＩＰブランチナンバー、２ビットの識別子（ｓｙｎｃ＿ＩＤ）、２４ビットのＳＴＳ情報、２４ビットの最大遅延量（ｍａｘｉｍｕｍ＿ｄｅｌａｙ）、８ビットのＥＬＬ情報、ＡＣデータを無効階層ＴＳＰの情報部分と各ＴＳＰのダミーバイト内の２バイトのＡＣ領域のいずれに多重するかを表わす１ビットのＡＣ多重方法識別情報（ＡＣ＿ｄａｔａ＿ｅｆｆｅｃｔｉｖｅ＿ｐｏｓｉｔｉｏｎ  図中「ＡＣ多重」と記す）、１箇所の放送所の遅延制御を行うための４０ビットのＥＣＩ＃１、３７ビットの誤り検出符号／ユーザビットが格納される。なお、誤り検出符号／ユーザビットとは、誤り検出符号とユーザビットのいずれか一方または両方である。
【００５３】
また、ＡＣキャリアＡＣ１−１〜ＡＣ１−８それぞれのデータ領域には、各４０ビットのＥＣＩが４組と、２５ビットの誤り検出符号／ユーザビットが格納される。この実施例では、モード３で１多重フレームに設定できるＥＣＩの数は２９個で、モード２で１多重フレームに設定できるＥＣＩの数は１３個である。モード３で２９組を越えるＥＣＩを設定する場合には、図８に示すＡＣキャリアを複数用いる。
【００５４】
これは、ＩＩＰパケットは１多重フレーム当たり１つのＴＳＰのみであり、そのＮＳＩ中にあるペイロードにはＥＣＩ用に使用できる領域が１４８バイトある。よって、１多重フレーム当たり設定できるＥＣＩの個数は最大２９個になる。（ＡＲＩＢ  ＳＴＤ−Ｂ３１より）。例えば１つの演奏所から３０箇所以上の放送所（放送機）に対して遅延制御を行う必要がある場合、即ちＥＣＩを３０個以上設定する必要がある場合、複数のＩＩＰパケットにまたがって、即ち複数の多重フレームに渡ってＥＣＩを設定する。このとき、ラストＩＩＰブランチナンバーは総ＩＩＰパケット数（総多重フレーム数）を示し、ＩＩＰブランチナンバーは何番目の多重フレームのＩＩＰであるのかを示す。
【００５５】
ＡＣデータに関しても１多重フレーム中に設定される情報量は図８に示すとおりであるので、ラストＩＩＰブランチナンバーはＡＣデータがまたがる総多重フレーム数を示し、ＩＩＰブランチナンバーは何番目の多重フレームであるのかを示す。
【００５６】
図９にモード２，３におけるＡＣキャリアフォーマットの第２実施例を示す。同図中、図８と同一部分には同一符号を付し、その説明を省略する。図９において、ＡＣキャリアＡＣ１−１〜ＡＣ１−８それぞれの先頭１９ビットは差動復調基準ビット及びヘッダであり、残りの１８５ビットの領域にデータが格納される。
【００５７】
ＡＣキャリアＡＣ１−１〜ＡＣ１−４のデータ領域の第１９〜２６ビットには電波監視用としてメディアを識別するための３２ビットのＩＤ識別情報、第２７，２８ビットには８ビットのＩＩＰブランチナンバー、第２９，３０ビットには８ビットのラストＩＩＰブランチナンバー、ＡＣキャリアＡＣ１−１，ＡＣ１−２の第３１ビットには２ビットの識別子（ｓｙｎｃ＿ＩＤ）、ＡＣキャリアＡＣ１−１〜ＡＣ１−４の第３１〜３７ビットには２４ビットのＳＴＳ情報、第３７〜４３ビットには２４ビットの最大遅延量（ｍａｘｉｍｕｍ＿ｄｅｌａｙ）、第４３〜４５ビットには８ビットのＥＬＬ情報、ＡＣキャリアＡＣ１−３，ＡＣ１−４の第４５ビットには１ビットのＡＣ多重方法識別情報（図中「ＡＣ多重」と記す）、ＡＣキャリアＡＣ１−１〜ＡＣ１−４の第４６〜２０３ビットには１５箇所の放送所の遅延制御を行うための４０ビットのＥＣＩ＃１〜＃１５、３２ビットの誤り検出符号／ユーザビットが格納される。この実施例ではモード２，３共に、１多重フレームに設定できるＥＣＩの数は１５個である。
【００５８】
ステップＳ３４では、遅延制御情報書込み部７５は、遅延制御情報を図１０（Ａ）に示すように、無効階層ＴＳＰの情報部分１８８バイトに順次多重する。ＩＩＰがｌａｙｅｒ＿ｉｎｄｉｃａｔｏｒ＝’１０００’のパケットであるのに対し、遅延制御情報はｌａｙｅｒ＿ｉｎｄｉｃａｔｏｒ＝’０１００’の無効階層ＴＳＰ（以下「ＡＣパケット」という）の情報部分１８８バイトに書き込まれる。ＡＣパケットは多重フレーム当たり１つのパケットである。
【００５９】
一方、ステップＳ３６では、遅延制御情報書込み部７５は、遅延制御情報を図１０（Ｂ）に示すように各ＴＳＰのダミーバイト内の２バイトのＡＣ領域に順次多重する。なお、ＡＣキャリアのＡＣ多重方法識別情報は、ステップＳ３４を実行する場合の値を例えば’１’とすると、ステップＳ３６を実行する場合の値は’０’とされている。
【００６０】
キャリアマッピング部７６は、ステップＳ３７でＡＣパケットの情報部分１８８バイト、もしくは、各ＴＳＰのダミーバイト内の２バイトに書き込まれた遅延制御情報を図８または図９に示すＡＣキャリアフォーマットにマッピングして伝送路に送出する。
【００６１】
このようにして遅延制御情報を多重された放送ＴＳ信号はＡＣキャリアマッピング部７６から端子７７を介して６４ＱＡＭ変調器４２に供給され、６４ＱＡＭ変調され光や無線等で伝送路に送出される。
【００６２】
この６４ＱＡＭ変調信号は伝送路を経て６４ＱＡＭ復調器４５に供給され、６４ＱＡＭ復調されて放送ＴＳ信号とされＯＦＤＭ変調器４７に供給される。ＯＦＤＭ変調器４７は、放送ＴＳ信号に付加された制御情報に従ってテレビジョン放送信号のＯＦＤＭ変調を行う。このＯＦＤＭ変調信号は例えば周波数３７．１５ＭＨｚでガードインターバルが設けられている。ＯＦＤＭ変調時にＩＩＰパケットは破棄されるがＡＣパケット及びＴＳパケット内のダミーバイト部分のＡＣデータ領域は破棄されずにＯＦＤＭ変調され、得られたＯＦＤＭ変調信号は遅延時間測定装置（受信部）４８及び遅延調整器４９及びＩＦ−ＴＴＬ送信部５１に供給される。
【００６３】
図６に示す遅延時間測定装置（受信部）４８，５７のＯＦＤＭ復調部８０（ＯＦＤＭ復調器４８ａ，５６ａに対応）は端子７９から供給されるＯＦＤＭ変調信号を復調して放送ＴＳ信号をＡＣキャリア再生部８１及びカウンタ８４に供給する。
【００６４】
図５のステップＳ３８で、ＡＣキャリア再生部８１はＡＣキャリアを復調して図８または図９に示すＡＣデータを再生する。
【００６５】
ステップＳ４０で、遅延制御用情報読出し部８２は再生されたＡＣデータの遅延制御基本情報からＳＴＳ情報、最大遅延量、自放送所の遅延制御用のＥＣＩを読出す。なお、自放送所の遅延制御用のＥＣＩは、ＥＣＩ内のｅｑｕｉｐｍｅｎｔ＿ｉｄで指定される。
【００６６】
図７において、遅延時間測定装置（受信部）４８，５７に内蔵されるＧＰＳ８３は基準時間信号（１ＰＰＳ）及び基準周波数信号（１０ＭＨｚ）を得てカウンタ８４に供給し、カウンタ８４は、放送ＴＳ信号の多重フレームの開始タイミングから基準時間信号（１ＰＰＳ）の立ち上がりタイミングまでの時間差を基準周波数信号（１０ＭＨｚ）によりカウントし、このカウント値を時間情報として遅延測定及び制御部８５に供給する。
【００６７】
図５のステップＳ４２で、遅延測定及び制御部８５は、上記時間情報と再生ＡＣキャリアの遅延制御情報のＳＴＳ情報とを比較して、時間差すなわち遅延時間を求める。そして、この遅延時間を再生ＡＣキャリアの遅延制御情報の最大遅延量（ｍａｘｉｍｕｍ＿ｄｅｌａｙ）から減算することで遅延調整時間を求め、この遅延調整時間を端子８６から遅延調整器４９に設定し、その遅延時間を調整する。
【００６８】
ところで、自放送所の遅延制御用のＥＣＩが存在し、このＥＣＩ内の固定遅延フラグ（ｓｔａｔｉｃ＿ｄｅｌａｙ＿ｆｌａｇ）が’１’の場合には、遅延測定及び制御部８５はＥＣＩ内の最大遅延量に対するタイムオフセット（ｔｉｍｅ＿ｏｆｆｓｅｔ）を遅延調整時間として遅延調整器４９に設定する。
【００６９】
なお、遅延時間測定装置（送信部）４４が請求項２，６等に記載の時間情報設定装置に対応し、遅延時間測定装置（受信部）４８，５６が遅延時間測定装置に対応する。
【図面の簡単な説明】
【００７０】
【図１】本発明の遅延時間測定方法の一実施例における送信設備と受信及び中継設備と受信設備の構成図である。
【図２】本発明の遅延時間測定方法の第１実施例のフローチャートである。
【図３】本発明の遅延時間測定方法を説明するための信号タイミングチャートである。
【図４】本発明方法を用いた単一周波数網の一実施例の構成図である。
【図５】本発明の遅延時間測定方法の第２実施例のフローチャートである。
【図６】本発明の遅延時間測定方法の第２実施例における遅延時間測定装置（送信部）のブロック図である。
【図７】本発明の遅延時間測定方法の第２実施例における遅延時間測定装置（受信部）のブロック図である。
【図８】モード３におけるＡＣキャリアフォーマットの第１実施例である。
【図９】モード２，３におけるＡＣキャリアフォーマットの第２実施例である。
【図１０】遅延制御情報多重位置を説明するための図である。
【図１１】従来の遅延時間測定方法の一例のブロック図である。
【図１２】従来の遅延時間測定方法の他の一例における送信設備と受信設備の構成図である。
【図１３】従来の遅延時間測定方法の他の一例のフローチャートである。
【符号の説明】
【００７１】
４０  再多重化器
４１  遅延時間測定装置（送信部）
４２  ６４ＱＡＭ変調器
４５  ６４ＱＡＭ復調器
４７  ＯＦＤＭ変調器
４８，５６  遅延時間測定装置（受信部）
４８ａ，５６ａ  ＯＦＤＭ復調部
４８ｂ，５６ｂ  遅延時間測定部
４９，５７  遅延調整器
５０，５８  放送機
５１  ＩＦ−ＴＴＬ送信部
５５  ＩＦ−ＴＴＬ受信部
６０  演奏所
６２，６４，６６  放送所
６１，６３，６５  伝送路
７０，８３  ＧＰＳ
７１，８４  カウンタ
７３  ＳＴＳ書き込み部
７４  遅延制御基本情報抽出部
７５  遅延制御情報書込み部
７６  ＡＣキャリアマッピング部
８０  ＯＦＤＭ復調部
８１  ＡＣキャリア再生部
８２  遅延制御用情報読出し部
８５  遅延測定及び制御部
【図１】
2004320713.tif 000003
【図２】
2004320713.tif 000004
【図３】
2004320713.tif 000005
【図４】
2004320713.tif 000006
【図５】
2004320713.tif 000007
【図６】
2004320713.tif 000008
【図７】
2004320713.tif 000009
【図８】
2004320713.tif 000010
【図９】
2004320713.tif 000011
【図１０】
2004320713.tif 000012
【図１１】
2004320713.tif 000013
【図１２】
2004320713.tif 000014
【図１３】
2004320713.tif 000015